(57)【要約】【課題】  従来より広い範囲で携帯情報端末機を使用可能とし、使用者の操作負担の少ない通信モードの切り替えを可能とした、Ｗ−ＣＤＭＡ／ＧＳＭシステム複合携帯情報端末機、及び、その通信モード切り替え方法を提供する。を提供する。【解決手段】  携帯情報端末１台に、Ｗ−ＣＤＭＡシステムを使用するためのＷ−ＣＤＭＡ無線制御部４、ＧＳＭシステムを使用するためのＧＳＭ無線制御部５を実装し、無線の状況により、Ｗ−ＣＤＭＡシステムとＧＳＭシステムのそれぞれの通信モードを切り替える制御をするモード制御部６を設ける。これにより、使用者が手動設定により通信モードを決定する操作を省略可能とし、無線状況に応じて異なる無線システムの通信モードを自動的に切り替えることが可能となる。【選択図】  図１
2005229437.tif 000002
【特許請求の範囲】
【請求項１】
Ｗ−ＣＤＭＡ／ＧＳＭシステム複合携帯情報端末機であって、該携帯情報端末機が動作するＷ−ＣＤＭＡ通信モード又はＧＳＭ通信モードのどちらかを使用者による手動設定により決定する手段と、
前記Ｗ−ＣＤＭＡ通信モード又はＧＳＭ通信モードを無線状況により決定する手段と、
を有することを特徴とする携帯情報端末機。
【請求項２】
前記Ｗ−ＣＤＭＡシステムの無線信号を検出し、該システム使用のために必要な処理を行うＷ−ＣＤＭＡ無線制御部と、
前記ＧＳＭシステムの無線信号を検出し、該システム使用のために必要な処理を行うＧＳＭ無線制御部と、
前記Ｗ−ＣＤＭＡシステム又はＧＳＭシステムのどちらかを使用可能とするために通信モードの切り替えを制御するためのモード制御部とを具備し、
前記通信モードを無線状況により決定する手段は、前記Ｗ−ＣＤＭＡ無線制御部が周期的に無線サーチを行い、その結果に基づいて、前記モード制御部が、Ｗ−ＣＤＭＡシステムの使用が可能と判断した場合は、ＧＳＭ通信モードに設定されているか否かに関わらず、優先的にＷ−ＣＤＭＡ通信モードの設定を行い、Ｗ−ＣＤＭＡシステムの使用が困難と判断した場合は、ＧＳＭ通信モードの設定を行うことを特徴とする請求項１記載の携帯情報端末機。
【請求項３】
前記通信モードを無線状況により決定する手段におけるＷ−ＣＤＭＡ通信モードからＧＳＭ通信モードへの切り替えは、前記Ｗ−ＣＤＭＡ無線制御部が、周期的に無線サーチを行い、その結果、無線を受信不能と認識した場合には、前記Ｗ−ＣＤＭＡ無線制御部は前記モード制御部にタイマー起動指示を出し、前記タイマー指示を出した直後の無線サーチにより、無線が受信可能と認識した場合には、ネットワークへの登録処理を行ってＷ−ＣＤＭＡ通信モードの設定処理を行う一方で、前記タイマー指示により前記モード制御部は、所定の時間タイマーを動作させ、タイマー動作が終了するとその旨を前記Ｗ−ＣＤＭＡ無線制御部へ通知し、前記Ｗ−ＣＤＭＡ無線制御部は、該タイマー終了通知を受け取るまでの間、周期的に行う無線サーチの結果により、無線が受信不能と認識した場合には、前記モード制御部に通信モード切り替え依頼を行い、前記通信モード切り替え依頼を受けた前記モード制御部は、ＧＳＭ通信モードへ切り替えるために必要な処理を開始することを特徴とする請求項１又は２に記載の携帯情報端末機。
【請求項４】
前記通信モードを無線状況により決定する手段におけるＧＳＭ通信モードからＷ−ＣＤＭＡ通信モードへの切り替えは、前記ＧＳＭ通信モードにおいても前記Ｗ−ＣＤＭＡ無線制御部は、周期的に無線サーチを行い、その結果、無線を受信可能と認識した場合にはその旨を前記モード制御部に通知し、該通知を受けた前記モード制御部は、ＧＳＭ通信モードからＷ−ＣＤＭＡ通信モードへの切り替え指示を前記Ｗ−ＣＤＭＡ無線制御部に対して行い、これを受けた前記Ｗ−ＣＤＭＡ無線制御部は、ＧＳＭ通信モードからＷ−ＣＤＭＡ通信モードに切り替えるためのネットワークへの登録処理をしてＷ−ＣＤＭＡ通信モードへ切り替えるために必要な処理を進めると共に、モード制御部へＷ−ＣＤＭＡサービスの開始通知をする一方で、前記モード制御部は、前記Ｗ−ＣＤＭＡ無線制御部へ通信モードの切り替え指示を通知した後にタイマーを動作させ、タイマー動作中に前記Ｗ−ＣＤＭＡサービスの開始通知を受け取った場合はその時点でタイマーを終了させ、タイマー動作中に前記Ｗ−ＣＤＭＡサービスの開始通知を受け取らなかった場合は、予め設定されている所定の時間までタイマーを動作させ、前記所定の時間が経過時にタイマー動作を終了させた後に、前記Ｗ−ＣＤＭＡ無線制御部に対してはＧＳＭ通信モードへの切り替えを開始する旨の通知をし、前記ＧＳＭ無線制御部に対しては、ＧＳＭ通信モードへ切り替えるための通信モード切替指示をすることを特徴とする請求項１から３のいずれか１項に記載の携帯情報端末機。
【請求項５】
Ｗ−ＣＤＭＡ／ＧＳＭシステム複合携帯情報端末機が動作するＷ−ＣＤＭＡ通信モード又はＧＳＭ通信モードのどちらかを使用者による手動設定により決定する工程、及び、前記Ｗ−ＣＤＭＡ通信モード又はＧＳＭ通信モードを無線状況により決定する工程と、
を備えたことを特徴とする携帯情報端末機の通信モード切り替え方法。
【請求項６】
前記Ｗ−ＣＤＭＡシステムの無線信号を検出し、該システム使用のために必要な処理を行うＷ−ＣＤＭＡ無線制御部、前記ＧＳＭシステムの無線信号を検出し、該システム使用のために必要な処理を行うＧＳＭ無線制御部、及び、前記Ｗ−ＣＤＭＡシステム又はＧＳＭシステムのどちらかを使用可能とするために通信モードの切り替えを制御するためのモード制御部が前記通信モードを無線状況により決定する工程は、前記Ｗ−ＣＤＭＡ無線制御部が周期的に無線サーチを行い、その結果に基づいて、前記モード制御部が、Ｗ−ＣＤＭＡシステムの使用が可能と判断した場合は、ＧＳＭ通信モードに設定されているか否かに関わらず、優先的にＷ−ＣＤＭＡ通信モードの設定を行い、Ｗ−ＣＤＭＡシステムの使用が困難と判断した場合は、ＧＳＭ無線制御部に働きかけてＧＳＭ通信モードの設定を行うことを特徴とする請求項５記載の携帯情報端末機における通信モード切り替え方法。
【請求項７】
前記通信モードを無線状況により決定する工程におけるＷ−ＣＤＭＡ通信モードからＧＳＭ通信モードへの切り替え工程は、
前記Ｗ−ＣＤＭＡ無線制御部が、周期的に無線サーチを行い、その結果、無線を受信不能と認識した場合には、前記Ｗ−ＣＤＭＡ無線制御部は前記モード制御部にタイマー起動指示を出し、前記タイマー指示を出した直後の無線サーチにより、無線が受信可能と認識した場合には、ネットワークへの登録処理を行ってＷ−ＣＤＭＡ通信モードの設定処理を行う工程と、
前記タイマー指示により前記モード制御部は、所定の時間タイマーを動作させ、タイマー動作が終了するとその旨を前記Ｗ−ＣＤＭＡ無線制御部へ通知し、前記Ｗ−ＣＤＭＡ無線制御部は、該タイマー終了通知を受け取るまでの間、周期的に行う無線サーチの結果により、無線が受信不能と認識した場合には、前記モード制御部に通信モード切り替え依頼を行い、前記通信モード切り替え依頼を受けた前記モード制御部は、ＧＳＭ通信モードへ切り替えるために必要な処理を開始する工程と、
を備えたことを特徴とする請求項５又は６に記載の携帯情報端末機における通信モード切り替え方法。
【請求項８】
前記通信モードを無線状況により決定する工程におけるＧＳＭ通信モードからＷ−ＣＤＭＡ通信モードへの切り替え工程は、
前記ＧＳＭ通信モードにおいても前記Ｗ−ＣＤＭＡ無線制御部は、周期的に無線サーチを行い、その結果、無線を受信可能と認識した場合にはその旨を前記モード制御部に通知する工程と、
前記通知を受けた前記モード制御部は、ＧＳＭ通信モードからＷ−ＣＤＭＡ通信モードへの切り替え指示を前記Ｗ−ＣＤＭＡ無線制御部に対して行う工程と、
前記ＧＳＭ通信モードからＷ−ＣＤＭＡ通信モードへの切り替え指示を受けた前記Ｗ−ＣＤＭＡ無線制御部は、ＧＳＭ通信モードからＷ−ＣＤＭＡ通信モードに切り替えるためのネットワークへの登録処理をしてＷ−ＣＤＭＡ通信モードへ切り替えるために必要な処理を進めると共に、モード制御部へＷ−ＣＤＭＡサービスの開始通知をする工程と、
前記モード制御部は、前記Ｗ−ＣＤＭＡ無線制御部へ通信モードの切り替え指示を通知した後にタイマーを動作させ、タイマー動作中に前記Ｗ−ＣＤＭＡサービスの開始通知を受け取った場合はその時点でタイマーを終了させ、タイマー動作中に前記Ｗ−ＣＤＭＡサービスの開始通知を受け取らなかった場合は、予め設定されている所定の時間までタイマーを動作させ、前記所定の時間が経過時にタイマー動作を終了させた後に、前記Ｗ−ＣＤＭＡ無線制御部に対してはＧＳＭ通信モードへの切り替えを開始する旨の通知をし、前記ＧＳＭ無線制御部に対しては、ＧＳＭ通信モードへ切り替えるための通信モード切替指示をする工程と、
を備えたことを特徴とする請求項５から７のいずれか１項に記載の携帯情報端末機における通信モード切り替え方法。
【発明の詳細な説明】
【技術分野】
【０００１】
本発明は、異なる複数の無線システムの通信モードで通信をすることができる複合携帯情報端末機、及び、その通信モード切り替え方法に関する。特に、Ｗ−ＣＤＭＡ／ＧＳＭシステム複合携帯情報端末機、及び、その通信モード切り替え方法に関する。
【背景技術】
【０００２】
従来、携帯電話（ＰＤＣ），ＰＨＳ等の移動体端末の小型化、普及率向上に伴ってユーザニーズが多様化してきたため、異なる無線システムをひとつの携帯電話とした複合商品が待望され、これを実現したものに、特許文献１に開示されるような携帯電話（ＰＤＣ）とＰＨＳの両機能を併せ持つ一体型携帯電話がある。また、携帯電話（ＰＤＣ）とＰＨＳという組み合わせではなく、特許文献２に開示されるような、Ｗ−ＣＤＭＡシステムとＧＳＭシステムを組み合わせた携帯情報端末がある。これは、Ｗ−ＣＤＭＡシステムと、もっとも普及しているＧＳＭシステムを組み合わせているため、携帯電話（ＰＤＣ）とＰＨＳという組み合わせよりもさらに広い範囲のサービスエリアを確保することができ、Ｗ−ＣＤＭＡシステムとＧＳＭシステムのそれぞれのサービスを受けることができる。
【特許文献１】特開２０００−２０１３８１号公報
【特許文献２】特開２０００−３２５２７号公報
【発明の開示】
【発明が解決しようとする課題】
【０００３】
しかし、従来の携帯電話（ＰＤＣ）とＰＨＳの両機能を併せ持つ一体型携帯電話では、自動的に受信モード（通信モード）を切り替えることはできず、無線状況やその他必要に応じて手動で受信モード（通信モード）の切り替えを行わなければいけないという問題があった。また、携帯電話（ＰＤＣ）とＰＨＳの組み合わせは、Ｗ−ＣＤＭＡシステムとＧＳＭシステムを組み合わせた携帯情報端末よりも、サービスエリアの範囲が狭いという問題があった。
【０００４】
本発明は、上記のような問題点に鑑み、従来の携帯電話（ＰＤＣ）とＰＨＳの両機能を併せ持つ一体型携帯電話のサービスエリアより広い範囲で携帯情報端末機を使用可能とし、使用者の操作負担の少ない通信モードの切り替えを可能とした、Ｗ−ＣＤＭＡ／ＧＳＭシステム複合携帯情報端末機、及び、その通信モード切り替え方法を提供することを目的とする。
【課題を解決するための手段】
【０００５】
請求項１に記載の発明は、Ｗ−ＣＤＭＡ／ＧＳＭシステム複合携帯情報端末機であって、該携帯情報端末機が動作するＷ−ＣＤＭＡ通信モード又はＧＳＭ通信モードのどちらかを使用者による手動設定により決定する手段と、前記Ｗ−ＣＤＭＡ通信モード又はＧＳＭ通信モードを無線状況により決定する手段とを有する携帯情報端末機としたことを特徴とする。
【０００６】
請求項２記載の発明は、前記Ｗ−ＣＤＭＡシステムの無線信号を検出し、該システム使用のために必要な処理を行うＷ−ＣＤＭＡ無線制御部と、前記ＧＳＭシステムの無線信号を検出し、該システム使用のために必要な処理を行うＧＳＭ無線制御部と、前記Ｗ−ＣＤＭＡシステム又はＧＳＭシステムのどちらかを使用可能とするために通信モードの切り替えを制御するためのモード制御部とを具備し、前記通信モードを無線状況により決定する手段は、前記Ｗ−ＣＤＭＡ無線制御部が周期的に無線サーチを行い、その結果に基づいて、前記モード制御部が、Ｗ−ＣＤＭＡシステムの使用が可能と判断した場合は、ＧＳＭ通信モードに設定されているか否かに関わらず、優先的にＷ−ＣＤＭＡ通信モードの設定を行い、Ｗ−ＣＤＭＡシステムの使用が困難と判断した場合は、ＧＳＭ通信モードの設定を行う請求項１記載の携帯情報端末機としたことを特徴とする。
【０００７】
請求項３記載の発明は、前記通信モードを無線状況により決定する手段におけるＷ−ＣＤＭＡ通信モードからＧＳＭ通信モードへの切り替えは、前記Ｗ−ＣＤＭＡ無線制御部が、周期的に無線サーチを行い、その結果、無線を受信不能と認識した場合には、前記Ｗ−ＣＤＭＡ無線制御部は前記モード制御部にタイマー起動指示を出し、前記タイマー指示を出した直後の無線サーチにより、無線が受信可能と認識した場合には、ネットワークへの登録処理を行ってＷ−ＣＤＭＡ通信モードの設定処理を行う一方で、前記タイマー指示により前記モード制御部は、所定の時間タイマーを動作させ、タイマー動作が終了するとその旨を前記Ｗ−ＣＤＭＡ無線制御部へ通知し、前記Ｗ−ＣＤＭＡ無線制御部は、該タイマー終了通知を受け取るまでの間、周期的に行う無線サーチの結果により、無線が受信不能と認識した場合には、前記モード制御部に通信モード切り替え依頼を行い、前記通信モード切り替え依頼を受けた前記モード制御部は、ＧＳＭ通信モードへ切り替えるために必要な処理を開始する請求項１又は２に記載の携帯情報端末機としたことを特徴とする。
【０００８】
請求項４記載の発明は、前記通信モードを無線状況により決定する手段におけるＧＳＭ通信モードからＷ−ＣＤＭＡ通信モードへの切り替えは、前記ＧＳＭ通信モードにおいても前記Ｗ−ＣＤＭＡ無線制御部は、周期的に無線サーチを行い、その結果、無線を受信可能と認識した場合にはその旨を前記モード制御部に通知し、該通知を受けた前記モード制御部は、ＧＳＭ通信モードからＷ−ＣＤＭＡ通信モードへの切り替え指示を前記Ｗ−ＣＤＭＡ無線制御部に対して行い、これを受けた前記Ｗ−ＣＤＭＡ無線制御部は、ＧＳＭ通信モードからＷ−ＣＤＭＡ通信モードに切り替えるためのネットワークへの登録処理をしてＷ−ＣＤＭＡ通信モードへ切り替えるために必要な処理を進めると共に、モード制御部へＷ−ＣＤＭＡサービスの開始通知をする一方で、前記モード制御部は、前記Ｗ−ＣＤＭＡ無線制御部へ通信モードの切り替え指示を通知した後にタイマーを動作させ、タイマー動作中に前記Ｗ−ＣＤＭＡサービスの開始通知を受け取った場合はその時点でタイマーを終了させ、タイマー動作中に前記Ｗ−ＣＤＭＡサービスの開始通知を受け取らなかった場合は、予め設定されている所定の時間までタイマーを動作させ、前記所定の時間が経過時にタイマー動作を終了させた後に、前記Ｗ−ＣＤＭＡ無線制御部に対してはＧＳＭ通信モードへの切り替えを開始する旨の通知をし、前記ＧＳＭ無線制御部に対しては、ＧＳＭ通信モードへ切り替えるための通信モード切替指示をする請求項１から３のいずれか１項に記載の携帯情報端末機としたことを特徴とする。
【０００９】
請求項５記載の発明は、Ｗ−ＣＤＭＡ／ＧＳＭシステム複合携帯情報端末機が動作するＷ−ＣＤＭＡ通信モード又はＧＳＭ通信モードのどちらかを使用者による手動設定により決定する工程、及び、前記Ｗ−ＣＤＭＡ通信モード又はＧＳＭ通信モードを無線状況により決定する工程とを備えた携帯情報端末機の通信モード切り替え方法としたことを特徴とする。
【００１０】
請求項６記載の発明は、前記Ｗ−ＣＤＭＡシステムの無線信号を検出し、該システム使用のために必要な処理を行うＷ−ＣＤＭＡ無線制御部、前記ＧＳＭシステムの無線信号を検出し、該システム使用のために必要な処理を行うＧＳＭ無線制御部、及び、前記Ｗ−ＣＤＭＡシステム又はＧＳＭシステムのどちらかを使用可能とするために通信モードの切り替えを制御するためのモード制御部が前記通信モードを無線状況により決定する工程は、前記Ｗ−ＣＤＭＡ無線制御部が周期的に無線サーチを行い、その結果に基づいて、前記モード制御部が、Ｗ−ＣＤＭＡシステムの使用が可能と判断した場合は、ＧＳＭ通信モードに設定されているか否かに関わらず、優先的にＷ−ＣＤＭＡ通信モードの設定を行い、Ｗ−ＣＤＭＡシステムの使用が困難と判断した場合は、ＧＳＭ無線制御部に働きかけてＧＳＭ通信モードの設定を行う請求項５記載の携帯情報端末機における通信モードの切り替え方法としたことを特徴とする。
【００１１】
請求項７記載の発明は、前記通信モードを無線状況により決定する工程におけるＷ−ＣＤＭＡ通信モードからＧＳＭ通信モードへの切り替え工程は、前記Ｗ−ＣＤＭＡ無線制御部が、周期的に無線サーチを行い、その結果、無線を受信不能と認識した場合には、前記Ｗ−ＣＤＭＡ無線制御部は前記モード制御部にタイマー起動指示を出し、前記タイマー指示を出した直後の無線サーチにより、無線が受信可能と認識した場合には、ネットワークへの登録処理を行ってＷ−ＣＤＭＡ通信モードの設定処理を行う工程と、前記タイマー指示により前記モード制御部は、所定の時間タイマーを動作させ、タイマー動作が終了するとその旨を前記Ｗ−ＣＤＭＡ無線制御部へ通知し、前記Ｗ−ＣＤＭＡ無線制御部は、該タイマー終了通知を受け取るまでの間、周期的に行う無線サーチの結果により、無線が受信不能と認識した場合には、前記モード制御部に通信モード切り替え依頼を行い、前記通信モード切り替え依頼を受けた前記モード制御部は、ＧＳＭ通信モードへ切り替えるために必要な処理を開始する工程とを備えた請求項５又は６に記載の携帯情報端末機における通信モード切り替え方法としたことを特徴とする。
【００１２】
請求項８記載の発明は、前記通信モードを無線状況により決定する工程におけるＧＳＭ通信モードからＷ−ＣＤＭＡ通信モードへの切り替え工程は、前記ＧＳＭ通信モードにおいても前記Ｗ−ＣＤＭＡ無線制御部は、周期的に無線サーチを行い、その結果、無線を受信可能と認識した場合にはその旨を前記モード制御部に通知する工程と、前記通知を受けた前記モード制御部は、ＧＳＭ通信モードからＷ−ＣＤＭＡ通信モードへの切り替え指示を前記Ｗ−ＣＤＭＡ無線制御部に対して行う工程と、前記ＧＳＭ通信モードからＷ−ＣＤＭＡ通信モードへの切り替え指示を受けた前記Ｗ−ＣＤＭＡ無線制御部は、ＧＳＭ通信モードからＷ−ＣＤＭＡ通信モードに切り替えるためのネットワークへの登録処理をしてＷ−ＣＤＭＡ通信モードへ切り替えるために必要な処理を進めると共に、モード制御部へＷ−ＣＤＭＡサービスの開始通知をする工程と、前記モード制御部は、前記Ｗ−ＣＤＭＡ無線制御部へ通信モードの切り替え指示を通知した後にタイマーを動作させ、タイマー動作中に前記Ｗ−ＣＤＭＡサービスの開始通知を受け取った場合はその時点でタイマーを終了させ、タイマー動作中に前記Ｗ−ＣＤＭＡサービスの開始通知を受け取らなかった場合は、予め設定されている所定の時間までタイマーを動作させ、前記所定の時間が経過時にタイマー動作を終了させた後に、前記Ｗ−ＣＤＭＡ無線制御部に対してはＧＳＭ通信モードへの切り替えを開始する旨の通知をし、前記ＧＳＭ無線制御部に対しては、ＧＳＭ通信モードへ切り替えるための通信モード切替指示をする工程とを備えた請求項５から７のいずれか１項に記載の携帯情報端末機における通信モード切り替え方法としたことを特徴とする。
【発明の効果】
【００１３】
本発明によれば、携帯情報端末１台に、Ｗ−ＣＤＭＡシステムとＧＳＭシステムの両方の無線制御部を実装しているため、Ｗ−ＣＤＭＡシステムとＧＳＭシステムのそれぞれの携帯情報端末を持つ必要がなく、携帯情報端末１台で両システムを利用することができる。また、受信している無線の状況により、Ｗ−ＣＤＭＡシステムとＧＳＭシステムのそれぞれの通信モードを自動的に切り替える設定をすることができるため、使用者は、それぞれの通信モードを手動で切り替えることなく、無線状況の良いほうでサービスを受けることができる。つまり、使用者は、通信モードを切り替えて携帯情報端末を使用する場合には、わざわざ手動で通信モードを切り替え、無線状況をサーチしたうえで電話をかけるといった操作をする必要がなくなる。
【発明を実施するための最良の形態】
【００１４】
本発明に係る一の実施形態は、Ｗ−ＣＤＭＡ／ＧＳＭシステム複合携帯情報端末機において、携帯情報端末機が動作するＷ−ＣＤＭＡ通信モード又はＧＳＭ通信モードのどちらかを使用者による手動設定により決定する手段と、前記Ｗ−ＣＤＭＡ通信モード又はＧＳＭ通信モードを無線状況により決定する手段とを設ける。
【実施例】
【００１５】
本発明を適用した実施例を、添付図面に基いて以下に説明する。まず、図１を用いて、本実施例のＷ−ＣＤＭＡ／ＧＳＭシステム複合携帯情報端末機の要部構成について説明する。図１は、本実施例のＷ−ＣＤＭＡ／ＧＳＭシステム複合携帯情報端末機における要部構成を示すブロック図である。図１に示すように、本実施例のＷ−ＣＤＭＡ／ＧＳＭシステム複合携帯情報端末機は、ＬＣＤ画面表示部１と、ＫＥＹ操作部２と、アンテナ３と、Ｗ−ＣＤＭＡ無線制御部４と、ＧＳＭ無線制御部５と、モード制御部６と、ＵＳＩＭ７と、ＣＰＵ８とを備えている。ＣＰＵ８は、以下に説明する本実施例のＷ−ＣＤＭＡ／ＧＳＭシステム複合携帯情報端末機の機能及び動作を実現するために、上記各部を制御する。
【００１６】
次に、図２を用いて、本実施例のＷ−ＣＤＭＡ／ＧＳＭシステム複合携帯情報端末機のＬＣＤ表示画面におけるエリアモード設定画面について説明する。図２は、本実施例のＷ−ＣＤＭＡ／ＧＳＭシステム複合携帯情報端末機のＬＣＤ表示画面におけるエリアモード設定画面を示す図である。図２に示すように、使用者はこの携帯電話のエリアモード設定画面９において、自動選択１０、手動選択（Ｗ−ＣＤＭＡ）１１、又は、手動選択（ＧＳＭ）１２の各設定モードを選択して、使用を希望する無線システムを選択し使用することができる。
【００１７】
自動選択１０を選択すると、現在受信している無線状況に応じて、Ｗ−ＣＤＭＡモードとＧＳＭモードが、携帯電話により自動的に切り替えられる。手動選択（Ｗ−ＣＤＭＡ）１１を選択すると、Ｗ−ＣＤＭＡシステムのみが使用可能となり、手動選択（ＧＳＭ）１２を選択すると、ＧＳＭシステムのみが使用可能となる。なお、使用者がこのエリアモード設定画面でエリアモードを設定しなかった場合は、自動選択１０に自動設定される。
【００１８】
次に、図３を用いて、本実施例のＷ−ＣＤＭＡ／ＧＳＭシステム複合携帯情報端末の電源投入からエリアモードが設定されるまで、又は、圏外設定されるまでの動作を説明する。図３は、本実施例のＷ−ＣＤＭＡ／ＧＳＭシステム複合携帯情報端末の電源投入からエリアモードが設定されるまで、又は、圏外設定されるまでの動作を説明するための図である。まず、Ｗ−ＣＤＭＡ／ＧＳＭシステム複合携帯情報端末機の電源を投入すると、携帯情報端末機のＬＣＤ画面上には、図２で既に説明したエリアモード設定画面が表示される。次に、この表示されたエリアモード設定画面上で、使用者がエリアモードの選択を行い（ステップ１００）、エリアモードの選択が終了すると、選択されたエリアモードがエリアモード自動選択の場合は、ステップ１０１へ、選択されたエリアモードがエリアモード手動選択（Ｗ−ＣＤＭＡ）である場合は、ステップ１０２へ、選択されたエリアモードがエリアモード手動選択（ＧＳＭ）である場合はステップ１０３へ移行し、それぞれＵＩＭ種別の判定を行う。
【００１９】
そして、選択されたエリアモードがエリアモード自動選択の場合は、ステップ１０１においてＵＩＭ種別の判定をした結果、携帯情報端末機に実装されているＳＩＭ（Subscriber Identity Module）が、Ｗ−ＣＤＭＡシステムとＧＳＭシステムの両方のシステムが使用可能な、Ｄｕａｌ  ＳＩＭが実装されている場合は、ステップ１０４に移行し、ステップＳ１０４において、Ｗ−ＣＤＭＡシステムとＧＳＭシステムの無線サーチを実施する。その結果、Ｗ−ＣＤＭＡシステムの受信が可能な場合は、ＧＳＭシステムが受信可能な場合であっても、優先的にＷ−ＣＤＭＡシステムが使用可能なＷ−ＣＤＭＡモードに設定される（ステップ１０７）。また、Ｗ−ＣＤＭＡシステムの無線状態が悪く、Ｗ−ＣＤＭＡシステムの受信ができない場合であって、ＧＳＭシステムの受信が可能な場合は、ＧＳＭシステムが使用可能なＧＳＭモードに設定される（ステップ１０８）。また、Ｗ−ＣＤＭＡシステムとＧＳＭシステムの両方のシステムが受信できない状況の場合は、通話不能なエリア圏外である圏外設定がされる（ステップ１０９）。
【００２０】
また、選択されたエリアモードがエリアモード自動選択の場合であって、ステップ１０１においてＵＩＭ種別の判定をした結果、携帯情報端末機に実装されているＳＩＭ（Subscriber Identity Module）が、Ｗ−ＣＤＭＡシステムが使用可能な、３Ｇ  ＳＩＭが実装されている場合は、ステップ１０５に移行し、ステップＳ１０５において、Ｗ−ＣＤＭＡシステムの無線サーチを実施する。その結果、Ｗ−ＣＤＭＡシステムの受信が可能な場合は、Ｗ−ＣＤＭＡシステムが使用可能なＷ−ＣＤＭＡモードに設定される（ステップ１０７）。また、Ｗ−ＣＤＭＡシステムの無線状態が悪く、Ｗ−ＣＤＭＡシステムの受信ができない場合は、通話不能なエリア圏外である圏外設定がされる（ステップ１０９）。
【００２１】
また、選択されたエリアモードがエリアモード自動選択の場合であって、ステップ１０１においてＵＩＭ種別の判定をした結果、携帯情報端末機に実装されているＳＩＭ（Subscriber Identity Module）が、ＧＳＭシステムが使用可能な、２Ｇ  ＳＩＭが実装されている場合は、ステップ１０６に移行し、ステップＳ１０６において、ＧＳＭシステムの無線サーチを実施する。その結果、ＧＳＭシステムの受信が可能な場合は、ＧＳＭシステムが使用可能なＧＳＭモードに設定される（ステップ１０８）。また、ＧＳＭシステムの無線状態が悪く、ＧＳＭシステムの受信ができない場合は、通話不能なエリア圏外である圏外設定がされる（ステップ１０９）。
【００２２】
また、選択されたエリアモードがエリアモード手動選択（Ｗ−ＣＤＭＡ）の場合は、ステップ１０２においてＵＩＭ種別の判定をした結果、携帯情報端末機に実装されているＳＩＭ（Subscriber Identity Module）が、Ｗ−ＣＤＭＡシステムとＧＳＭシステムの両方のシステムが使用可能な、Ｄｕａｌ  ＳＩＭが実装されている場合、又は、Ｗ−ＣＤＭＡシステムが使用可能な、３Ｇ  ＳＩＭが実装されている場合は、ステップ１０５に移行し、ステップＳ１０５において、Ｗ−ＣＤＭＡシステムの無線サーチを実施する。その結果、Ｗ−ＣＤＭＡシステムの受信が可能な場合は、Ｗ−ＣＤＭＡシステムが使用可能なＷ−ＣＤＭＡモードに設定される（ステップ１０７）。また、Ｗ−ＣＤＭＡシステムの無線状態が悪く、Ｗ−ＣＤＭＡシステムの受信ができない場合は、通話不能なエリア圏外である圏外設定がされる（ステップ１０９）。
【００２３】
また、選択されたエリアモードがエリアモード手動選択（Ｗ−ＣＤＭＡ）の場合であって、ステップ１０２においてＵＩＭ種別の判定をした結果、携帯情報端末機に実装されているＳＩＭ（Subscriber Identity Module）が、ＧＳＭシステムが使用可能な、２Ｇ  ＳＩＭが実装されている場合は、通話不能なエリア圏外である圏外設定がされる（ステップ１０９）。
【００２４】
また、選択されたエリアモードがエリアモード手動選択（ＧＳＭ）の場合は、ステップ１０３においてＵＩＭ種別の判定をした結果、携帯情報端末機に実装されているＳＩＭ（Subscriber Identity Module）が、Ｗ−ＣＤＭＡシステムとＧＳＭシステムの両方のシステムが使用可能な、Ｄｕａｌ  ＳＩＭが実装されている場合、又は、ＧＳＭシステムが使用可能な、２Ｇ  ＳＩＭが実装されている場合は、ステップ１０６に移行し、ステップＳ１０６において、ＧＳＭシステムの無線サーチを実施する。その結果、ＧＳＭシステムの受信が可能な場合は、ＧＳＭシステムが使用可能なＧＳＭモードに設定される（ステップ１０８）。また、ＧＳＭシステムの無線状態が悪く、ＧＳＭシステムの受信ができない場合は、通話不能なエリア圏外である圏外設定がされる（ステップ１０９）。
【００２５】
また、選択されたエリアモードがエリアモード手動選択（ＧＳＭ）の場合であって、ステップ１０３においてＵＩＭ種別の判定をした結果、携帯情報端末機に実装されているＳＩＭ（Subscriber Identity Module）が、Ｗ−ＣＤＭＡシステムが使用可能な、３Ｇ  ＳＩＭが実装されている場合は、通話不能なエリア圏外である圏外設定がされる（ステップ１０９）。
【００２６】
次に、図４を用いて、本実施例のＷ−ＣＤＭＡ／ＧＳＭシステム複合携帯情報端末の通常使用時における通信モード状態とそれぞれの通信モード状態に遷移するためのトリガについて説明する。図４は、本実施例のＷ−ＣＤＭＡ／ＧＳＭシステム複合携帯情報端末の通常使用時における通信モード状態とそれぞれの通信モード状態に遷移するためのトリガについて説明するための図である。
【００２７】
図４に示すように、自動選択モード１０が選択されており、ＤＵＡＬ  ＳＩＭが実装されている場合は、Ｗ−ＣＤＭＡシステムとＧＳＭシステムの両システムが使用可能であり、この場合の通信モードの状態は、自動Ｗ−ＣＤＭＡモード１３又は自動ＧＳＭモード１４である。そして、自動Ｗ−ＣＤＭＡモード１３と自動ＧＳＭモード１４との間のモード状態の遷移は、そのときの無線状況により、携帯情報端末自身によって自動的に行われる（自動切り替え１７）。
【００２８】
また、図４に示すように、手動選択（Ｗ−ＣＤＭＡ）が設定されている場合は、Ｗ−ＣＤＭＡシステムのみ使用可能であり、この場合の通信モードの状態は、手動Ｗ−ＣＤＭＡモード１５である。また、手動選択（ＧＳＭ）が設定されている場合は、ＧＳＭシステムのみ使用可能であり、この場合の通信モードの状態は、手動ＧＳＭモード１６である。手動Ｗ−ＣＤＭＡモード１５と手動ＧＳＭモード１６間の通信モード状態の遷移と、手動Ｗ−ＣＤＭＡモード１５と自動Ｗ−ＣＤＭＡモード１３又は自動ＧＳＭモード１４間の通信モード状態の遷移と、手動ＧＳＭモード１６と自動Ｗ−ＣＤＭＡモード１３又は自動ＧＳＭモード１４間の通信モード状態の遷移は、いずれも使用者の手動設定操作をトリガとして行われる（手動切り替え１８）。
【００２９】
次に、図５を用いて、本実施例のＷ−ＣＤＭＡ／ＧＳＭシステム複合携帯情報端末の自動選択モードを設定した場合の、通信モードの切り替えの概要について説明する。図５は、本実施例のＷ−ＣＤＭＡ／ＧＳＭシステム複合携帯情報端末の自動選択モードを設定した場合の、通信モードの切り替えの概要について説明するための図である。図５に示すように、自動Ｗ−ＣＤＭＡモード１３に設定されている場合に、３Ｇサービス（Ｗ−ＣＤＭＡシステム）提供不能と判断された場合、つまり、Ｗ−ＣＤＭＡシステムの電波が受信できない（Ｗ−ＣＤＭＡ圏外１９）などのときには、自動的に自動ＧＳＭモード１４に遷移する。
【００３０】
そして、自動ＧＳＭモード１４に設定されている状態で、図１に示すＷ−ＣＤＭＡ無線制御部４がＷ−ＣＤＭＡシステムの無線をハントした場合は、自動ＧＳＭモード１４から優先的に自動Ｗ−ＣＤＭＡモード１３に移行する（Ｗ−ＣＤＭＡ圏内２１）。
また、自動ＧＳＭモード１４に設定されている状態にもかかわらず、強制的にＷ−ＣＤＭＡシステムの無線をハントするために、Ｗ−ＣＤＭＡシステムの無線サーチを行いたい場合は、使用者のＫＥＹ操作により（キーイベント２０）、強制サーチを実施することもでき、使用者のＫＥＹ操作により、自動Ｗ−ＣＤＭＡモード１３に強制的に移行させるようにすることもできる。
【００３１】
このような、使用者の手動操作により強制的に他のモードへ移行（無線サーチ）する強制的なモード切り替え機能は、現在サービス中の状態をＬＣＤ画面上にアイコンで表示させ、そこから使用者がワンタッチのキー操作で行えるようにマンマシンインターフェースについて工夫することができる。図６に、本実施例のＷ−ＣＤＭＡ／ＧＳＭシステム複合携帯情報端末機のＬＣＤ表示画面におけるアイコンの表示例及び各通信モードへ移行するためのワンタッチキーの例を示す。図６が示すように、現在サービス中の状態は、アイコン２２により表示される。また、各通信モードへ強制的に移行させるためのワンタッチキーは、Ｗ−ＣＤＭＡモード強制移行キー２３、及び、ＧＳＭモード強制移行キー２４とから構成される。その他、本手法により、Ｗ−ＣＤＭＡ、ＧＳＭ、ＧＰＲＳとパケットシステムを自動的に切り替え、これらの環境で動作するアプリケーションも各通信モードに影響することなく動作をさせることが可能である。
【００３２】
次に、図７を用いて、本実施例のＷ−ＣＤＭＡ／ＧＳＭシステム複合携帯情報端末機において、自動選択モードが選択され、待ち受け状態で自動Ｗ−ＣＤＭＡモード動作中に自動ＧＳＭモードに遷移する際のシーケンスについて説明する。図７は、本実施例のＷ−ＣＤＭＡ／ＧＳＭシステム複合携帯情報端末機において、自動選択モードが選択され、待ち受け状態で自動Ｗ−ＣＤＭＡモード動作中に自動ＧＳＭモードに遷移する際のシーケンスを示す図である。
【００３３】
まず、本実施例のＷ−ＣＤＭＡ／ＧＳＭシステム複合携帯情報端末機において、自動選択モードが選択され、待ち受け状態で自動Ｗ−ＣＤＭＡモード動作中であって、通常サービス（ステップ２０１）を実施中に、無線を受信できなくなったことをＷ−ＣＤＭＡ無線制御部４（図１参照）が周期的に行っている無線基地局検出処理（ステップ２０２）により認識すると（ステップ２０３）、Ｗ−ＣＤＭＡ無線制御部４は、モード制御部６（図１参照）にタイマー起動指示１００を出し、モード制御部６は、携帯情報端末機に備えられたタイマーを起動させる。
【００３４】
一方、Ｗ−ＣＤＭＡ無線制御部４は、タイマー起動指示１００を出した直後の無線基地局検出処理（ステップ２０４）において、無線を受信できることを確認した場合には、ネットワークへの登録を行い（ステップ２０５）、Ｗ−ＣＤＭＡシステムを利用して通常サービスを提供できるようにする。なお、この場合には、モード制御部６は、起動していたタイマーの動作を途中で終了させる。
【００３５】
また、Ｗ−ＣＤＭＡ無線制御部４は、タイマー起動指示１００を出した直後の無線基地局検出処理（ステップ２０４）において、無線を受信できないことを確認し、かつ、Ｗ−ＣＤＭＡ無線制御部４が、周期的に行っている無線基地局検出処理（図示されていない。）において、モード制御部６が起動させたタイマーが所定の時間だけ動作をしているに間に、無線を受信できないことを確認した場合には、モード制御部６へ通信モード切り替え依頼１０３をする。なお、タイマーの動作終了は、モード制御部６によりＷ−ＣＤＭＡ無線制御部４へ通知される（タイマー終了通知１０１）。
【００３６】
次に、Ｗ−ＣＤＭＡ無線制御部４からの通信モード切り替え依頼１０２により、モード制御部６は、自動ＧＳＭモードに移行させる処理を開始する（ステップ２０６）。モード制御部６は、ＧＳＭモード制御部５に対して通信モード切り替え指示１０３をする。この通信モード切り替え指示１０３を受けたＧＳＭモード制御部５は、ＧＳＭシステムの無線基地局検出処理（ステップ２０７）をして、無線を受信できることを確認した場合には、ネットワークへの登録（ステップ２０８）を実行し、ＧＳＭシステムを利用可能とするとともに、モード制御部６へＧＳＭサービスの開始通知１０４をする。
【００３７】
次に、図８を用いて、本実施例のＷ−ＣＤＭＡ／ＧＳＭシステム複合携帯情報端末機において、自動選択モードが選択され、待ち受け状態で自動ＧＳＭモード動作中に自動Ｗ−ＣＤＭＡモードに遷移する際のシーケンスについて説明する。図８は、本実施例のＷ−ＣＤＭＡ／ＧＳＭシステム複合携帯情報端末機において、自動選択モードが選択され、待ち受け状態で自動ＧＳＭモード動作中に自動Ｗ−ＣＤＭＡモードに遷移する際のシーケンスを示す図である。
【００３８】
まず、Ｗ−ＣＤＭＡ無線制御部４は、自動ＧＳＭモード（ステップ３０１）中であっても、Ｗ−ＣＤＭＡシステムの無線が受信できるか否か、常に周期的に無線基地局検出処理（ステップ３０２）を行っている。なお、図８では、無線基地局検出処理については、ステップ３０２としてのみ示し、その他は省略する。この無線基地局検出処理（ステップ３０２）によりＷ−ＣＤＭＡシステムの無線が見つかった場合は、Ｗ−ＣＤＭＡ無線制御部４は、モード制御部６に対してその旨を通知するための無線基地局検出通知２００をする。この無線基地局検出通知２００を受け取ったモード制御部６は、自動ＧＳＭモードから自動Ｗ−ＣＤＭＡモードに移行するための通信モード切り替え指示２０１をＷ−ＣＤＭＡ無線制御部４へ通知する。
【００３９】
そして、モード制御部６からの通信モード切り替え指示２０１を受けたＷ−ＣＤＭＡ無線制御部４は、自動ＧＳＭモードから自動Ｗ−ＣＤＭＡモードに移行させる処理を開始する（ステップ３０３）。Ｗ−ＣＤＭＡ無線制御部４は、Ｗ−ＣＤＭＡシステムのネットワークへの登録（ステップ３０４）を実行し、Ｗ−ＣＤＭＡシステムを利用可能とすると共に、モード制御部６へＷ−ＣＤＭＡサービスの開始通知２０２をする。
【００４０】
なお、モード制御部６は、Ｗ−ＣＤＭＡ無線制御部４へ通信モード切替指示２０１を通知した後に、タイマーを起動させ、このタイマーの動作する所定の時間が経過するまで、Ｗ−ＣＤＭＡ無線制御部４からのＷ−ＣＤＭＡサービスの開始通知２０２を待つ。そして、モード制御部６は、タイマーが動作する所定の時間が経過する前にＷ−ＣＤＭＡサービスの開始通知２０２を受け取った場合は、その時点で、タイマーの動作を終了させる。
【００４１】
また、モード制御部６は、このタイマーが動作する所定の時間が経過するまでに、Ｗ−ＣＤＭＡ無線制御部４からＷ−ＣＤＭＡサービスの開始通知２０２を受け取らなかった場合は、予め設定されている所定の時間までタイマーを動作させて、所定の時間が経過するとタイマーの動作を終了させる。そして、Ｗ−ＣＤＭＡ無線制御部４へ、自動ＧＳＭモードへの切り替えを開始する旨の通知２０３をする。その後の詳細は省略するが、モード制御部６とＧＳＭ無線制御部５により、自動ＧＳＭモードへ移行するための処理がなされる。
【図面の簡単な説明】
【００４２】
【図１】本発明の一実施形態のＷ−ＣＤＭＡ／ＧＳＭシステム複合携帯情報端末機における要部構成を示すブロック図である。
【図２】本発明の一実施形態のＷ−ＣＤＭＡ／ＧＳＭシステム複合携帯情報端末機のＬＣＤ表示画面におけるエリアモード設定画面を示す図である。
【図３】本発明の一実施形態のＷ−ＣＤＭＡ／ＧＳＭシステム複合携帯情報端末の電源投入からエリアモードが設定されるまで、又は、圏外設定されるまでの動作を説明するための図である。
【図４】本発明の一実施形態のＷ−ＣＤＭＡ／ＧＳＭシステム複合携帯情報端末の通常使用時における通信モード状態とそれぞれの通信モード状態に遷移するためのトリガについて説明するための図である。
【図５】本発明の一実施形態のＷ−ＣＤＭＡ／ＧＳＭシステム複合携帯情報端末の自動選択モードを設定した場合の、通信モードの切り替えの概要について説明するための図である。
【図６】本発明の一実施形態のＷ−ＣＤＭＡ／ＧＳＭシステム複合携帯情報端末機のＬＣＤ表示画面におけるアイコンの表示例及び各通信モードへ移行するためのワンタッチキーの例を示す図である。
【図７】本発明の一実施形態のＷ−ＣＤＭＡ／ＧＳＭシステム複合携帯情報端末機において、自動選択モードが選択され、待ち受け状態で自動Ｗ−ＣＤＭＡモード動作中に自動ＧＳＭモードに遷移する際のシーケンスを示す図である。
【図８】本発明の一実施形態のＷ−ＣＤＭＡ／ＧＳＭシステム複合携帯情報端末機において、自動選択モードが選択され、待ち受け状態で自動ＧＳＭモード動作中に自動Ｗ-ＣＤＭＡモードに遷移する際のシーケンスを示す図である。
【符号の説明】
【００４３】
１    ＬＣＤ画面表示部
２    ＫＥＹ操作部
３    アンテナ
４    Ｗ−ＣＤＭＡ無線制御部
５    ＧＳＭ無線制御部
６    モード制御部
７    ＵＳＩＭ
８    ＣＰＵ
９    エリアモード設定画面
１０    自動選択モード
１１    手動選択（Ｗ−ＣＤＭＡ）モード
１２    手動選択（ＧＳＭ）モード
１３    自動Ｗ−ＣＤＭＡモード
１４    自動ＧＳＭモード
１５    手動Ｗ−ＣＤＭＡモード
１６    手動ＧＳＭモード
１７    自動切り替え
１８    手動切り替え
１９    Ｗ−ＣＤＭＡ圏外
２０    キーイベント
２１    Ｗ−ＣＤＭＡ圏内
２２    アイコン
２３    Ｗ−ＣＤＭＡモード強制移行キー
２４    ＧＳＭモード強制移行キー
【図１】
2005229437.tif 000003
【図２】
2005229437.tif 000004
【図３】
2005229437.tif 000005
【図４】
2005229437.tif 000006
【図５】
2005229437.tif 000007
【図６】
2005229437.tif 000008
【図７】
2005229437.tif 000009
【図８】
2005229437.tif 000010